【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
（１）少なくとも１つのニトリルゴムおよび（２）少なくとも１つの揮発性化合物を含有する流体（Ｆ）から揮発性化合物を除去する方法であって、前記方法が、
ａ）前記流体（Ｆ）を、ヒーター、脱ガス容器（４）および蒸気ラインを少なくとも含む少なくとも１つの濃縮機装置で処理し、それによって前記流体（Ｆ）が加熱され、前記加熱された流体（Ｇ）が脱ガス容器へ供給され、そこで前記揮発性化合物の一部が、濃縮流体（Ｈ）を得るために前記蒸気ラインを経由して除去される工程と、
ｂ）前記工程ａ）からの前記濃縮流体（Ｈ）を少なくとも１つの再加熱装置で再加熱して、再加熱された濃縮流体（Ｌ）を得る工程と、
ｃ）前記工程ｂ）からの前記再加熱された濃縮流体（Ｌ）を、搬送セクション、１つ以上の蒸気ライン付きのガス抜き口を少なくとも含む押出機脱ガスセクションと、蓄積セクションと出口セクションとを少なくとも含む少なくとも１つの押出機装置へ供給し、それによって揮発性化合物が前記ガス抜き口および前記蒸気ラインを通して除去され；それによって前記再加熱された濃縮流体（Ｌ）が前記押出機脱ガスセクションに入る時に自由流動性であり、前記出口セクションで得られる前記ニトリルゴムが揮発性化合物を実質的に含まない工程と
を少なくとも含み、
そして、前記ニトリルゴム（１）が、
（ｉ）少なくとも１つの共役ジエン、少なくとも１つのα，β−不飽和ニトリルおよび任意選択的に１つ以上の共重合性モノマーに由来する繰り返し単位ならびに
（ｉｉ）一般式（Ｉ）、（ＩＩ）、（ＩＩＩ）、（ＩＶ）または（Ｖ）
【化１】
2013523901.tif 000001
（式中、
Ｚは、Ｈ、分岐もしくは非分岐の、飽和もしくは１回以上不飽和のアルキル、飽和もしくは１回以上不飽和の炭素残基もしくは複素環残基、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、Ｆ、Ｃｌ、Ｂｒ、Ｉ、ヒドロキシ、ホスホナト、ホスフィナト、アルキルチオ、アリールチオ、スルファニル、チオカルボキシ、スルフィニル、スルホノ、スルフィノ、スルフェノ、スルホン酸、スルファモイル、シリル、シリルオキシ、ニトリル、カルボニル、カルボキシ、オキシカルボニル、オキシスルホニル、オキソ、チオキソ、ボレート、セレナート、エポキシ、シアネート、チオシアネート、イソシアネート、チオイソシアネートおよびイソシアニドを表し、
Ｍは、共役もしくは非共役ジエン、アルキンおよびビニル化合物を含む、１回以上不飽和である１つ以上のモノマーに由来する繰り返し単位、またはポリエーテル、具体的にはポリアルキレングリコールエーテルおよびポリアルキレンオキシド、ポリシロキサン、ポリオール、ポリカーボネート、ポリウレタン、ポリイソシアネート、多糖類、ポリエステルならびにポリアミドを含むポリマーに由来する構造要素を表し、
ｎおよびｍは同じかまたは異なり、０〜１０，０００の範囲にあり、
ｔは、ｎ＝０の場合、０または１であり、ｎ≠０の場合、１に等しく、
Ｘは、Ｃ（Ｚ２）、Ｎ（Ｚ）、Ｐ（Ｚ）、Ｐ（＝Ｏ）（Ｚ）、Ｏ、Ｓ、Ｓ（＝Ｏ）またはＳ（＝Ｏ）２（式中、Ｚは、本明細書で上に定義されたものと同じ意味を有する）を表し、
Ｒは、（ａ）ｍ≠０の場合、前記残基Ｚと同じ意味を有し、
（ｂ）ｍ＝０の場合、Ｈ、分岐もしくは非分岐の、飽和の、１回以上不飽和のアルキル、飽和の、１回以上不飽和の炭素残部もしくは複素環残部、アリール、ヘテロアリール、アリールアルキル、ヘテロアリールアルキル、アルコキシ、アリールオキシ、ヘテロアリールオキシ、アミノ、アミド、カルバモイル、アルコキシ、アリールオキシ、アルキルチオ、アリールチオ、スルファニル、チオカルボキシ、スルフィニル、スルホノ、スルフィノ、スルフェノ、スルホン酸、スルファモイル、カルボニル、カルボキシ、オキシカルボニル、オキシスルホニル、オキソ、チオキソ、エポキシ、シアネート、チオシアネート、イソシアネート、チオイソシアネートまたはイソシアニドを表す）
の１つ以上の構造要素
を含む方法。
【請求項２】
前記再加熱された濃縮流体（Ｌ）の粘度が５０〜５０，０００，０００ＭＰａ＊ｓ、好ましくは５０〜１０，０００，０００ｍＰａ＊ｓ、より好ましくは７５０〜１，０００，０００ｍＰａ＊ｓ、最も好ましくは５，０００ｍＰａ＊ｓ〜５００，０００ｍＰａ＊ｓの範囲にあることを特徴とする、請求項１に記載の方法。
【請求項３】
揮発性化合物を実質的に含まない前記ニトリルゴム中の揮発性化合物の含有率が、前記ニトリルゴムの質量を基準として１．２５重量％未満、好ましくは０．７５重量％未満、より好ましくは０．５重量％未満、最も好ましくは０．２重量％未満であることを特徴とする、請求項１または２に記載の方法。
【請求項４】
前記流体（Ｆ）が３〜５０重量％の非揮発性ニトリルゴムポリマーおよび５０〜９７重量％の揮発性化合物を含有し、それによって前記前述の成分が合計して前記流体（Ｆ）の総質量の９０〜１００になることを特徴とする、請求項１〜３のいずれか一項に記載の方法。
【請求項５】
（ｉ）少なくとも１つの共役ジエン、少なくとも１つのα，β−不飽和ニトリルおよび任意選択的に１つ以上の共重合性モノマーに由来する繰り返し単位ならびに
（ｉｉ）一般式（Ｉ）、（ＩＩ）、（ＩＩＩ）、（ＩＶ）または（Ｖ）
【化２】
2013523901.tif 000002
（式中、
Ｚは、Ｈ、分岐もしくは非分岐の、飽和もしくは１回以上不飽和のアルキル、飽和もしくは１回以上不飽和の炭素残基もしくは複素環残基、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、Ｆ、Ｃｌ、Ｂｒ、Ｉ、ヒドロキシ、ホスホナト、ホスフィナト、アルキルチオ、アリールチオ、スルファニル、チオカルボキシ、スルフィニル、スルホノ、スルフィノ、スルフェノ、スルホン酸、スルファモイル、シリル、シリルオキシ、ニトリル、カルボニル、カルボキシ、オキシカルボニル、オキシスルホニル、オキソ、チオキソ、ボレート、セレナート、エポキシ、シアネート、チオシアネート、イソシアネート、チオイソシアネートおよびイソシアニドを表し、
Ｍは、共役もしくは非共役ジエン、アルキンおよびビニル化合物を含む、１回以上不飽和である１つ以上のモノマーに由来する繰り返し単位、またはポリエーテル、具体的にはポリアルキレングリコールエーテルおよびポリアルキレンオキシド、ポリシロキサン、ポリオール、ポリカーボネート、ポリウレタン、ポリイソシアネート、多糖類、ポリエステルならびにポリアミドを含むポリマーに由来する構造要素を表し、
ｎおよびｍは同じかまたは異なり、０〜１０，０００の範囲にあり、
ｔは、ｎ＝０の場合、０または１であり、ｎ≠０の場合、１に等しく、
Ｘは、Ｃ（Ｚ２）、Ｎ（Ｚ）、Ｐ（Ｚ）、Ｐ（＝Ｏ）（Ｚ）、Ｏ、Ｓ、Ｓ（＝Ｏ）またはＳ（＝Ｏ）２（式中、Ｚは、本明細書で上に定義されたものと同じ意味を有する）を表し、
Ｒは、（ａ）ｍ≠０の場合、前記残基Ｚと同じ意味を有し、
（ｂ）ｍ＝０の場合、Ｈ、分岐もしくは非分岐の、飽和の、１回以上不飽和のアルキル、飽和の、１回以上不飽和の炭素残部もしくは複素環残部、アリール、ヘテロアリール、アリールアルキル、ヘテロアリールアルキル、アルコキシ、アリールオキシ、ヘテロアリールオキシ、アミノ、アミド、カルバモイル、アルコキシ、アリールオキシ、アルキルチオ、アリールチオ、スルファニル、チオカルボキシ、スルフィニル、スルホノ、スルフィノ、スルフェノ、スルホン酸、スルファモイル、カルボニル、カルボキシ、オキシカルボニル、オキシスルホニル、オキソ、チオキソ、エポキシ、シアネート、チオシアネート、イソシアネート、チオイソシアネートまたはイソシアニドを表す）
の１つ以上の構造要素
を含むニトリルゴムであって、
前記ニトリルゴム中の揮発性化合物の含有率が前記ニトリルゴムの質量を基準として１．２５重量％未満、好ましくは０．７５重量％未満、より好ましくは０．５重量％未満、最も好ましくは０．２重量％未満であるニトリルゴム。
【請求項６】
・脱ガス容器（４）と連通したヒーター（２）を含む１つの濃縮装置であって、前記脱ガス容器（４）の底部分がポンプ（４．２）と連通しており、前記脱ガス容器（４）の上部が少なくとも１つの蒸気ライン（４．１）と連通している装置
・前記濃縮装置の前記ポンプ（４．２）および押出機装置上の供給点（１２）と連通した１つの加熱装置（６）
・少なくとも１つの供給点（１２）、１つの押出機脱ガスセクション（１６）、１つの蓄積セクション（２０）および１つの出口セクション（２２）を含む１つの押出機装置であって、前記押出機脱ガスセクション（１６）が、蒸気ライン（１５．１）に接続された少なくとも１つのガス抜き口（１５）をさらに含む装置
を少なくとも含むデバイスを用いて行われる請求項１〜４のいずれか一項に記載の方法。